(57)【特許請求の範囲】
【請求項１】
視野ドームに設定された視野座標系の所定位置に視標を提示して、被検眼の視野を測定する視野検査システムにおいて、
前記被検眼の２次元の眼底画像を格納する第１のメモリと、
ＯＣＴ装置により取得した前記被検眼の網膜の３次元画像を格納する第２のメモリと、
前記網膜の３次元画像を解析することによって得られる、当該網膜の反射率分布からピークを検出する手段と、前記反射率分布から前記被検眼の網膜組織中の特定部位に対応するピークが消失していること、及びその範囲を検出する手段によって得られる３次元の網膜層構造の定量情報と、前記３次元の網膜層構造から前記被検眼眼底の中心窩の位置を特定する中心窩特定手段と、
前記３次元の網膜層構造の定量情報と前記中心窩特定手段によって特定された中心窩との位置関係から、前記ピークが消失している範囲が前記網膜の３次元画像のどの範囲に対応するのかを特定する眼底像位置特定手段と、
前記眼底像位置特定手段によって特定された前記ピークが消失している範囲に対応する位置を、前記第１のメモリに格納された２次元の眼底画像上の所定の検査ポイントにマーキングするマーキング手段と、
前記マーキング手段によりマーキングされた領域を検出して、当該マーキング領域の位置に基づき前記視野ドームに提示すべき視野検査点から成る視野検査領域を生成し、この視野検査領域の視野検査点を前記視野ドームにより被検者に提示し、前記被検眼に対する視野検査を行うことを特徴とする、視野検査システム。
【請求項２】
前記マーキング手段は、２次元の眼底画像上の座標系において、前記中心窩特定手段によって特定された中心窩を、前記２次元の眼底画像の中心窩と一致させるようスケール変更し、２次元の眼底画像上の座標系の同じ位置にマーキングすることを特徴とする請求項１に記載の視野検査システム。
【請求項３】
前記ピークは、前記被検眼の網膜の視細胞内節外節接合部に対応する部位であることを特徴とする請求項１または２に記載の視野検査システム。
【請求項４】
前記定量情報から網膜厚マップを作成し、作成した網膜厚マップに基づき前記被検眼の網膜の立体構造を表示出力することを特徴とする請求項１ないし３に記載の視野検査システム。
【発明の詳細な説明】
【技術分野】
【０００１】
本発明は、眼底ＯＣＴ装置、視野計、および眼底カメラなどの眼底画像撮影装置を用いて構成した視野検査システムに関する。
【背景技術】
【０００２】
従来、被検眼の視野測定を行う装置として手動あるいは自動測定モードを有する視野計が知られている。たとえば、緑内障などの眼疾患では視野狭窄や暗点などの症状が生じることが知られており、視野計はこの種の疾患の診断に用いられている。【０００３】
この種の視野計は、半球状の投影面を有する視野ドームに視標として照明スポットを投影し、視標の投影位置を手動制御、あるいはあらかじめ定められたプログラムに応じて自動制御し、各投影位置における被検者の応答を記録するよう構成されている。【０００４】
一方、眼底カメラによる眼底撮影から得られた２次元の眼底画像を用いて被検眼網膜の異常部位を特定できれば、診断に有用であると考えられている。たとえば、網膜の構造のみならず機能との比較によって得られる情報は緑内障診断に有用と考えられるため、眼底画像と視野計による測定結果とを組み合わせることができる検査システムが提案されている。【０００５】
また、現在ではＯＣＴ（Ｏｐｔｉｃａｌ  Ｃｏｈｅｒｅｎｃｅ  Ｔｏｍｏｇｒａｐｈｙ：光干渉断層計）のように被検眼網膜の膜厚を測定できる装置も知られており、この種の装置により得られた網膜の３次元構造に関する情報（以下、特に画像については「ＯＣＴ画像」ともいう）を組合せることによってさらに網膜の精度の高い診断が可能となる、と考えられる。【０００６】
たとえば、下記の特許文献１には、眼底に光を投射し、その反射光を検出し、この検出結果に基づいて被検眼の網膜の形態を表す３次元画像をＯＣＴ技術によって取得し、その３次元画像から網膜の膜厚を求め、あらかじめ行っておいた視野検査の結果と網膜の膜厚情報の比較結果から、眼科情報を得る眼科情報処理装置が開示されている。【０００７】
特許文献２は、２次元眼底画像と視野計による測定結果とを組み合わせて用いる眼科検査システムを開示しており、特許文献２の視野計では別途撮影された眼底画像上の、所定の検査ポイントに該当する視野ドームの座標系の位置に、視標を提示して被検者の視認応答により視野を計測するようになっている。
【先行技術文献】
【特許文献】
【０００８】
【特許文献１】特開2009-34480号公報
【特許文献２】特開2008-36297号公報
【発明の概要】
【発明が解決しようとする課題】
【０００９】
特許文献１は視野検査に眼底ＯＣＴ画像を組合せる技術を開示しているが、特許文献１に記載の構成は視野検査を実施した後に眼底ＯＣＴ画像を取得し、網膜の３次元画像中の刺激位置を特定後、当該位置の網膜の層厚を計測し、視野検査との比較を行うという構成であるため、まず始めにひと通りの視野検査を実施する必要がある。しかし視野検査は正常部と病変が疑われる部分の別なく、すべての範囲において実施しなければならず、病変が疑われる部分をなるべく短時間で測定するのに効率的でない点は否めない。【００１０】
特許文献２は予め得られた眼底画像を利用して、被検眼に対する視野測定点を指定することのできる視野計を開示しており、当該眼底画像の座標と実際の被検眼の座標を一致させる技術を開示している。しかし、特許文献２ではＯＣＴのように網膜の３次元構造に関する情報は用いられておらず、２次元眼底画像では眼底深さ方向の情報が得られないため、病変が疑われる部分の特定において精度が高いとはいえない。【００１１】
本発明の課題は、以上の問題に鑑み、２次元眼底画像、およびＯＣＴ装置により得られた被検眼眼底の３次元構造に関する情報を用いて視野計による視野検査を適切に制御することで、従来システムと比較して精度よく短時間で検査できる、眼科診断に有用な視野検査システムを提供することにある。
【課題を解決するための手段】
【００１２】
上記課題を解決するため、本発明においては、視野ドームに設定された視野座標系の所定位置に視標を提示して、被検眼の視野を測定する視野検査システムにおいて、前記被検眼の２次元の眼底画像を格納する第１のメモリと、ＯＣＴ装置により取得した前記被検眼の網膜の３次元画像を格納する第２のメモリと、前記網膜の３次元画像を解析することによって得られる、当該網膜の反射率分布からピークを検出する手段と、前記反射率分布から前記被検眼の網膜組織中の特定部位に対応するピークが消失していること、及びその範囲を検出する手段によって得られる３次元の網膜層構造の定量情報と、前記３次元の網膜層構造から前記被検眼眼底の中心窩の位置を特定する中心窩特定手段と、前記第１のメモリに格納された前記３次元の網膜層構造と前記中心窩特定手段によって特定された中心窩との位置関係から、前記ピークが消失している範囲が前記網膜の３次元画像のどの範囲に対応するのかを特定する眼底像位置特定手段と、前記眼底像位置特定手段によって特定された前記ピークが消失している範囲に対応する位置を、前記第１のメモリに格納された２次元の眼底画像上の所定の検査ポイントにマーキングするマーキング手段と、前記マーキング手段によりマーキングされた領域を検出して、当該マーキング領域の位置に基づき前記視野ドームに提示すべき視野検査点から成る視野検査領域を生成し、この視野検査領域の視野検査点を前記視野ドームにより被検者に提示し、前記被検眼に対する視野検査を行う構成を採用した。
【発明の効果】
【００１３】
上記構成によれば、２次元眼底画像、およびＯＣＴ装置により得られた被検眼眼底の３次元構造に関する情報を用いて視野計による視野検査を適切に制御することができ、特に、ＯＣＴ装置により網膜の３次元構造に関する情報、すなわち網膜層の厚さ方向に関する情報を用いて病変ないし異常が疑われる部位を特定できるため、精度よく眼底上の視野検査範囲を特定でき、被検眼眼底の異常の疑われる範囲に対して効率よく視野検査を行うことができる。また、視野検査を行なってからＯＣＴ情報を組合せる構成ではなく、ＯＣＴ装置により網膜の３次元構造に関する情報を取得して、眼底上の視野検査範囲を絞り込む構成を採用しているため、被検眼眼底の異常の疑われる範囲に対して短時間で効率よく視野検査を行うことができる。
【図面の簡単な説明】
【００１４】
【図１】本発明に関わる眼底ＯＣＴ装置の構成を示したブロック図である。
【図２】本発明に関わる視野計の一例を示すブロック図である。
【図３】視野計のモニタに表示された眼底画像の一例を示した説明図である。
【図４】視野計のモニタに表示された眼底画像の一例を示した説明図である。
【図５】ＯＣＴによるＡスキャン信号から網膜厚を算出する模式図である。
【図６】本発明に関わる眼科検査手順の概略を示したフローチャート図である。
【発明を実施するための形態】
【００１５】
以下、本発明を実施するための形態として添付図面を参照して本発明の実施例を説明する。以下では、眼底ＯＣＴ装置、視野計、および眼底カメラなどの眼底画像撮影装置を用いて構成した視野検査システムに関する実施例を示す。
【実施例１】
【００１６】
図１は本発明の視野検査システムで用いられる眼底ＯＣＴ装置の構成を、図２は本発明の視野検査システムで用いられる視野計の構成を示している。【００１７】
図１において、符号１で示すものは、部分的コヒーレント光を射出する高輝度の発光ダイオード（Ｓｕｐｅｒ  Ｌｕｍｉｎｅｓｃｅｎｔ  Ｄｉｏｄｅ：ＳＬＤ）であり、断層画像を観察するために必要な低干渉性の（干渉性が少ない）性質を有する光源である。中心波長は、例えばそれぞれ８４０ｎｍという赤外線（不可視）帯域の光を発生するものとする。光源１からの光ビームは、レンズ２でコリメートされ、ミラー３を介した光ビームは、レンズ４、５を介して所定の大きさの光ビームへと拡大された後、ビームスプリッター（ＢＳ：光分割部材）７に入射する。ビームスプリッター７の位置において、光路は、光源側の光路６ａ、参照光路６ｂ、探索光路６ｃ、検出光路６ｄの４方向に分割されている。【００１８】
さらに不図示の別の光源、たとえば、可視光（例えば、波長６７０ｎｍ程度の赤色）の光を射出するＳＬＤまたはＬＤ（Ｌａｓｅｒ  Ｄｉｏｄｅ：半導体レーザー）を設け、これを、ダイクロイックミラーなどを用いて光源１の光軸と一致させることで、測定用の不可視の赤外線に対して、可視光で光ビームの光路を確認するための補助光源として利用することができる。【００１９】
参照光路６ｂを進む光ビームは参照光ミラー９で反射され、参照光ミラー９で反射された光ビームは、レンズ８を介して参照光路６ｂを戻る。【００２０】
一方、探索光路６ｃを進む光ビームは、ガルバノメーター１０に装着されたガルバノミラー１０ａに入射する。ガルバノミラー１０ａで反射された光ビームは、第２のガルバノメーター１１のガルバノミラー１１ａで反射し、これら２つのガルバノミラー１０ａまたは１１ａを介して、光軸に対して直交する方向に、光ビームをそれぞれ１次元的に走査させることができる。【００２１】
例えば、二つのガルバノミラー１０ａ、１１ａの一方を固定して一方だけによる走査を行えば、光軸（Ｚ軸）に垂直な方向のＸ軸方向またはＹ軸方向の走査が可能である。図１の場合、たとえば、ガルバノメーター１１によりＸ軸方向の走査を、ガルバノメーター１０によりＹ軸方向の走査を行うことができる。【００２２】
あるいは、二つのガルバノミラー１０ａ、１１ａをともに同一の周波数で動作させて、それぞれを駆動する波形の種類や振幅、位相等を適宜設定すれば、ＸＹ面内方向において、任意のライン状の走査、またはサークル状等の走査が可能になる。これらガルバノミラー１０ａと１１ａは、それぞれ探索光の光ビームを、分光計２１を構成するラインセンサアレイと同じ周波数で走査するための第１と第２の光走査手段を構成している。【００２３】
ガルバノミラー１０ａ、１１ａによって走査された光ビームは、レンズ１２、１３、１４を介した後、観察対象物体の被検眼３３（前眼部３３ａ〜眼底３３ｂ）に入射する。ここで、レンズ１２、１３は、被検眼の視度（近視や遠視等）に応じて調節可能なフォーカシング光学系を構成しており、対象物体の光学特性に応じて光ビームの焦点位置を変化させる焦点調節手段となっている。レンズ１２および１３の位置は所定の機構（不図示）の動作に応じて光軸方向に調整可能である。また、レンズ１２、１３とレンズ１４は、テレセントリック光学系を構成しており、ガルバノミラーと被検眼との共役関係がほぼ一定に保たれるように構成されている。【００２４】
被検眼３３に入射した光ビームは、例えば眼底３３ｂの所定位置において、点状に収束してフォーカス状態となる。この点状にフォーカスされた光ビームは、ガルバノミラー１０ａ、１１ａ（光走査手段）の走査によって、被検眼の眼底３３ｂを、ライン状（またはサークル状）に走査する。【００２５】
被検眼３３の眼底３３ｂからの反射光は、前述した光学系を逆進し、すなわちレンズ１２、１３、１４、ガルバノミラー１０ａ、１１ａを経由して、ビームスプリッター（ＢＳ）７に至る。探索光路６ｃを逆進し、ビームスプリッター７を透過した被検眼３３からの反射光は、参照光路６ｂから戻ってくる参照光と合成され、これにより検出光路６ｄに干渉光が発生する。【００２６】
この干渉光は、検出光としてレンズ１６を介して検出開口（ピンホール）１７を通過し、さらにレンズ１８を介して、光軸に対して傾斜して配置された回折格子１９に入射される。回折格子１９を介した検出光は、レンズ２０を介してラインセンサアレイから成る分光計２１にて検出される。【００２７】
分光計２１の出力信号は高速フーリエ変換器（ＦＦＴ）２２によってスペクトル分布信号に変換されＰＣ（パーソナルコンピュータ）２３に入力される。【００２８】
ＰＣ２３において、高速フーリエ変換器２２から入力された検出光の情報に対して画像処理を行うことにより、被検眼の生体成分の３次元分布を測定することができる。【００２９】
ＰＣ２３は、光学系（特に２つのガルバノメーター１０、１１等）の動作全般を制御するとともに、被検眼中の測定対象の組織の３次元分布の測定結果を、液晶テレビモニター等の表示装置１５に出力して表示させ、また、測定結果は必要に応じてメモリ２５に転送して記憶させるなどの制御を行う。また、ＰＣ２３は、キーボードやポインティングデバイス（マウスなど）を有し、これらのユーザーインターフェース手段を介して測定制御のための設定を行うことができる。【００３０】
ＰＣ２３に接続されたメモリ２５には、後述の視野検査で用いられる第１および第２のメモリ領域が確保される。また、ＰＣ２３はＬＡＮ、その他の通信手段を介して不図示の眼底カメラなどの眼底画像撮影装置が撮影した被検眼（当然、被検眼３３からの同じ被検眼である）の２次元眼底画像を入力することができる。【００３１】
本実施例では、便宜上、ＰＣ２３が眼底画像撮影装置が撮影した２次元眼底画像と、ＯＣＴ画像を用いて後述の視野検査を制御するものとするが、ＰＣ２３のような視野検査制御手段はシステムのどこに配置されていてもよく、たとえば、上記の眼底画像撮影装置や、後述の視野計の制御部が視野検査制御手段を構成してもよい。【００３２】
上記光学系において設けられたピンホール１７は、光走査手段の走査方向に間隙の制限された所定のピンホール状の検出開口を有し、不要な迷光や散乱光によるノイズを排除して、検出される干渉信号のＳＮ（信号対雑音特性）を向上させるとともに、バックグラウンドの光量レベルを減らすことによって、撮像素子からの映像信号に関して信号成分の階調性を向上させる効果を有する。ピンホール１７は、微小な正方形状の開口であっても良く、この開口は、薄板に形成されたスリット状の部品を直交させて２枚重ね合わせることによっても構成することができる。【００３３】
上記構成において、被検眼３３に入射した光ビームを例えば眼底３３ｂの所定位置において、点状に収束してフォーカスさせ、ガルバノミラー１０ａ、１１ａによって、被検眼３３の眼底３３ｂをライン状（またはサークル状）等に走査することができる。【００３４】
このＯＣＴの走査は眼底３３ｂの特定のｘｙ座標において、深さ（ｚ軸）方向に関するＡスキャンを行ない、続いて次のｘｙ座標においてＡスキャンを行なうよう被検眼３３の眼底３３ｂを走査するＢスキャンから構成される。【００３５】
次に図２の視野計の構造を説明する。図２において、符号１１０で示すものは、画像入力部で、この画像入力部１１０には、上述の眼底画像撮影装置が撮影し、電子画像化された眼底画像データをフレキシブルディスク１１１、ＣＤなどのリムーバブルディスクあるいはＬＡＮを介して入力することができる。【００３６】
眼底画像は、上記の眼底画像撮影装置（眼底カメラなど）でテレビカメラ（ＣＣＤカメラ）を介して撮像され、画像処理されてフレキシブルディスク１１１などに保存されたりあるいはＬＡＮなどを介して入力することができる。画像入力部１１０に入力された眼底画像は、メモリ１１２に格納されたあと、クロック１１３に同期して動作するＣＰＵ１１４を介してモニタ１１５などの表示部に表示させることができる。【００３７】
また、メモリ１１６には、視野測定を行うプログラムが格納されており、ＣＰＵ１１４は後述するように、モニタ１１５に表示された眼底の所定領域が指定されると、バッファ１１７を介して視野ドーム１１８に視標を順次表示させる。これら視標の表示は、視野ドームに視標を投影したりあるいは視野ドームに設けられたＬＥＤなどの光源を点灯させたりすることにより行なわれる。表示される視標は、指定された眼底領域部分に関連して行なわれ、被検者が視野ドームの中心を固視している場合、表示された視標が眼底の指定領域に結像されるようになっている。【００３８】
被検者は、視野ドーム１１８に表示された視標を認識した場合には応答スイッチ１２０で応答し、これがＩ／Ｏインターフェース１１９を介してＣＰＵ１１４に伝達される。ＣＰＵ１１４は視野測定結果を処理してモニタ１１５に表示させることができる。また、ＣＰＵ１１４はＣＰＵが処理する画像を合成して画像合成器１２１を介して合成した画像をモニタ１１５に表示できるように構成されている。【００３９】
Ｉ／Ｏインターフェース１１９には、ＬＥＤなどの光源を備えた操作パネル１２３が接続されており、この操作パネルを介して、画像入力、視野測定、画像合成など種々の操作を指定でき、これらの操作をＩ／Ｏインターフェース１１９を介してＣＰＵ１１４に伝達できる。さらに、測定結果などあるいはモニタ１１５に表示される画像は、Ｉ／Ｏインターフェース１１９を介してプリンタ１２２に出力することができる。なお１２４は、ライトペンでこのライトペンを用いてモニタ１１５上に配置されたタッチパネル１２５を介してモニタ１１５に表示される画像の領域を設定ないし指定することができる。【００４０】
なお、上記の操作パネル１２３、Ｉ／Ｏインターフェース１１９、ＣＰＵ１１４、メモリ１１２、１１６、バッファ１１７と画像合成器１２１、タッチパネル１２５を有するモニタ１１５の機能は、図１のＰＣ２３とモニタ１５が兼ねるように視野検査システムを構成することができる。【００４１】
次に、このような構成において、眼底画像データがフレキシブルディスク、ＬＡＮなどを介して画像入力部１１０に入力され、メモリ１１２に格納された後、ＣＰＵ１１４を介してモニタ１１５に表示される。この状態が図３に図示されており、眼底画像１３０がモニタのスクリーン１１５ａに表示されている状態が示されている。【００４２】
被検者は、視野ドーム１１８内側の投影面に投影された視標の注視を求められ、それが視認できた場合には何らかの適当な方法（応答スイッチ１２０の操作、あるいは音声による応答）で検者に応答を返す。【００４３】
ところで、図３に示すように、モニタ１１５に表示された画像１３０は、通常の眼底画像を表示する場合に対して、上下が反転する形で表示され、視野計の計測に対応した形となっている。この状態で、検者は、ライトペン１２４を用いてモニタ１１５上に表示された眼底画像１３０上で、視野中心（原点ＺＰ）としての黄斑部３１の中心を黄斑部位置Ｋとして指定し、更に、盲点（視神経乳頭）１３２の中心位置を盲点位置Ｍ１１として指定する。【００４４】
ＣＰＵ１１４は、メモリ１１６に格納された、視野計測プログラムに基づいて、ライトペン１２４により示されたモニタ１１５上での黄斑部位置１３１と盲点位置１３２の座標位置を検出演算して、黄斑部１３１を原点とする、Ｘ−Ｙ座標を設定する。次いで、ＣＰＵ１４は、視野計測プログラムに基づいて、検者によりモニタ上で指定された盲点位置１３２を、一般的（統計的）に黄斑部１３１に対する盲点位置座標として考えられている標準盲点位置座標データに基づいて、Ｘ＝−１５゜、Ｙ＝−３゜と仮に決定し、Ｘ−Ｙ座標のスケールを盲点位置１３２に対応させて決定し、眼底画像上に表示する。【００４５】
次に、ＣＰＵ１１４は、視野計測プログラムに基づいて、予め設定されている計測点、即ち検査ポイントＩＰを、図４に示すようにモニタ上に表示する。表示された検査ポイントＩＰは、例えば、Ｘ、Ｙ軸方向に視野角でα、βに設定されており、 α、βの設定角度は任意であるが、具体的には、Ｘ、Ｙ座標軸を中心に、α／２、β／２で振り分ける形で、更にＸ、Ｙ軸方向に均等にα、βの間隔で設定される。例えば、α、βの設定角度は４〜５゜程度に設定される。【００４６】
このとき、被検者の被検眼の視度の都合で、視野計の被検者がのぞき見る接眼レンズ（図示せず）に挿入レンズを使用している場合には、検者は挿入レンズの矯正値を操作パネル１２３を介して入力し、ＣＰＵ１１４は当該入力された挿入レンズの矯正値に応じて眼底画像１３０におけるＸ−Ｙ座標のスケールを調整し、座標軸を補正する。挿入レンズを入れた場合、挿入レンズによるプリズム効果で、視野ドーム１１８内での視標の認識位置が例えば２０％ずれる場合には、当該ズレ量に応じて、眼底画像１３０におけるＸ−Ｙ座標のスケールを補正する。【００４７】
この状態で、眼底画像１３０上の座標位置を指示することにより、対応する視野ドーム１１８を覗いている被検眼３３の視野ドーム１１８内での視野座標を対応させることが、見かけ上可能となる。【００４８】
一方、検者は、モニタ１１５に表示される眼底画像１３０及び検査ポイントＩＰの画像から、これから被検眼３３について視野検査を行う点を、ライトペン１２４等を使用して、図４に示すように、検査ポイントＩＰの画像を個々に指示するか（例えば、図４の黒丸で示した検査ポイントＩＰ）、１個以上の検査すべき検査ポイントＩＰが含まれた視野検査領域ＡＲを指示する形で、モニタ１１５の画面上で指示する。検査すべき検査ポイントＩＰを、被検眼３３の眼底画像１３０を直接モニタ１１５上で確認しながら、指示することが出来るので、被検眼３３の状態に応じた適切な検査ポイントＩＰの選択を容易に行うことが出来る。【００４９】
さらに、本実施例では、以下に説明するように、ＯＣＴにより取得した網膜の３次元構造に関する定量情報に基づき、上記の複数の検査ポイントＩＰから成る視野検査領域ＡＲを自動的に生成することができる。【００５０】
本実施例では、図２〜図４で説明した２次元眼底画像を利用した視野検査において、さらに図１の眼底ＯＣＴ装置で取得した被検眼３３の眼底（網膜）の３次元情報を用いて検査を行なえるようにする。【００５１】
図６は本実施例の視野検査システムにおける検査制御手順を示している。図示の手順は視野検査システムの制御プログラムとしてシステムの制御部、たとえば図１のＰＣ２３が実行する（前述のように他の制御部、たとえば図２の視野計の制御部や、眼底画像撮影装置の制御部が実行するものであってもよい）もので、図示の手順のうち、検者の操作や被検者の応答を除く部分はたとえばＰＣ２３のＨＤＤなどの記憶手段に制御プログラムとして格納しておく。【００５２】
視野検査を行う場合、眼底カメラなどの眼底画像撮影装置により２次元の眼底画像を撮影し、画像データを第１のメモリ領域に格納する（図６ステップＳ１）。この第１のメモリ領域は、たとえば図１の眼底ＯＣＴ装置のメモリ２５内に配置されるが、他のメモリ、たとえば眼底撮影装置や視野計のメモリ１１６内に配置してもよい。【００５３】
続いて、眼底ＯＣＴ装置により、網膜の３次元画像データを取得し、第２のメモリ領域に格納し（ステップＳ２）、さらにこの３次元の網膜層構造の定量情報を取得する（ステップＳ３）。この第２のメモリ領域は、たとえば図１の眼底ＯＣＴ装置のメモリ２５内に配置されるが、他のメモリ、たとえば眼底撮影装置や視野計のメモリ１１６内に配置してもよい（ステップＳ２）。【００５４】
ここで、３次元の網膜層構造の定量情報とは、眼底ＯＣＴ装置により得られた網膜の反射率分布およびそれを解析した情報である。眼底ＯＣＴ装置反射率を測定することで３次元構造を図示化する機器であるから、反射率分布曲線のピークの有無について解析することができる。【００５５】
ステップＳ３では、中心窩の位置を特定すべく、取得した網膜層構造の定量情報から網膜厚マップを作成する。中心窩付近は網膜厚が薄くなっているので、中心窩が網膜厚マップのどの位置に対応するかを特定することができる。ここで、作成した網膜厚マップ情報に基づき、被検眼３３の網膜の立体構造を表示出力することができる。【００５６】
たとえば、ワイヤーフレーム表現の３Ｄ画像としてモニタ１５（あるいは１１５）で表示することができる。この種の３Ｄ画像（立体）表示は、たとえばキーボードやポインティングデバイスの操作により回転、拡大、縮小などを行なえるようなユーザーインターフェースを用いて表示するとよい。【００５７】
そして３次元の網膜層構造について、各種解析を行い、異常が疑われる範囲を検出する（ステップＳ４）。例えば、正常眼については、ＯＣＴのＡスキャン信号により、ある１スキャンにおいて得られる深さ方向の反射率分布は、図５のようにいくつかの高反射率のピークを持つことが知られている。図５において符号２０２は被検眼の網膜組織中の特定部位のうち、特にＮＦＬ（網膜神経繊維層）、符号２０３はＲＰＥ（網膜色素上皮）後縁にそれぞれ相当し、この２０２〜２０３の距離が網膜厚Ｄに相当する。【００５８】
これらのうち、符号２０１で示した視細胞内節外節接合部（ＩＳ／ＯＳ＝《Ｉｎｎｅｒ  Ｓｅｇｍｅｎｔ／Ｏｕｔｅｒ  Ｓｅｇｍｅｎｔ》）に対応するピークが特定の範囲にわたって消失している部位があった場合（あるｘｙ座標においてそのようなスキャン信号が得られている場合）、その部位の視細胞に障害を生じている可能性が疑われる。ステップＳ４ではこのようにピーク消失部位として判定できる網膜層構造中の異常が疑われる範囲を検出する。【００５９】
そして、検出したピーク消失部位のそれぞれについて、ステップＳ３で特定した中心窩との位置関係から網膜上のどの位置に対応するかを特定する（ステップＳ５）。【００６０】
続いて、ステップＳ５で特定した位置を、ステップＳ１で取得し、第１のメモリ領域に格納されている２次元眼底画像上に投影しマーキングする（ステップＳ６）。この際、異常を検出したＯＣＴのＡスキャン信号の取得位置（ｘｙ座標）から、２次元眼底画像上で異常が疑われる部位としてマーキングすべき位置（ｘｙ座標）を特定する。【００６１】
この時、ステップＳ６では、２次元眼底画像の座標系において、ステップＳ３で特定されたＯＣＴ画像中の中心窩と、２次元眼底画像で検出される中心窩とを、一致させ、かつ必要なスケール変更を行い、その上で座標系の同じ位置にマーキングする。このようにして、例えば両画像中の中心窩を特定し、その位置を基準としてＯＣＴ画像と２次元眼底画像の位置合せおよびスケーリングを行うことができるが、このＯＣＴ画像と２次元眼底画像の位置合せの基準には、眼底の中心窩のみならず、視神経乳頭や黄斑部などの位置を特定し、両者の画像中におけるこれらの部位の位置を利用することもできる。【００６２】
なお、ステップＳ６では、同時にマーキングした２次元眼底画像をモニタ１５（図１）または１１５（図２）で表示することができる。【００６３】
さらに、図２の視野計で、ステップＳ６においてマーキングされた２次元眼底画像を入力し（たとえばＬＡＮ、画像入力部１１０を介して入力する）、視野計のＣＰＵ１１４はマーキングされた領域を検出して、視野検査点を自動配置する（ステップＳ７）。この処理は、図４で説明した複数の検査ポイントＩＰから成る視野検査領域ＡＲを自動的に配置する処理に対応する。このときの検査ポイントＩＰの検査点密度は検者の操作により設定できるようにしておく。また、検査ポイント位置によって検査点密度を変えられるようにしてもよい。例えば中心から近い領域であれば密度を高くし、中心から遠い領域であれば密度を低くするよう検査点密度を選択できるようにしてもよい。【００６４】
さらに、検査ポイントＩＰとしては比較のための他の点（例えば視野中心や中心窩に対する上下対称点）も自動的に選択できるようにしてもよい。【００６５】
そして、図２〜図４に関して上述したようにマーキングが施された２次元眼底画像の画像と視野検査軸の位置合わせを行ない（ステップＳ８）、従来と同様に視野計により自動視野検査を行う（ステップＳ９）。このとき、被検者には注視点を固視させ、視野ドーム１１８内に視標が提示されるごとに、視標が見えた場合は応答スイッチ１２０を用いてその旨を示すアクションをとってもらう。【００６６】
以上のようにして、２次元眼底画像、およびＯＣＴにより得られた被検眼眼底の３次元構造に関する情報を用いて視野計による視野検査を適切に制御することができる。本実施例では、ＯＣＴにより網膜の３次元構造に関する情報、すなわち網膜層の厚さ方向に関する情報を用いて病変ないし異常が疑われる部位を特定できるため、精度よく眼底上の視野検査範囲を特定でき、被検眼眼底の異常の疑われる範囲に対して効率よく視野検査を行うことができる。【００６７】
また、本実施例では、特許文献１のように視野検査を行なってからＯＣＴ情報を組合せる構成ではなく、ＯＣＴにより網膜の３次元構造に関する情報を取得して、眼底上の視野検査範囲を絞り込む構成を採用しているため、被検眼眼底の異常の疑われる範囲に対して短時間で効率よく視野検査を行うことができる。
【産業上の利用可能性】
【００６８】
本発明は、眼底カメラなどの眼底画像撮影装置、ＯＣＴ、自動視野計を組合せて構成した視野検査システムにおいて広く実施することができる。
【符号の説明】
【００６９】
１  光源
２  レンズ
３  ミラー
４、５  レンズ
７  ビームスプリッター
８  レンズ
１０、１１  ガルバノメーター
１０ａ、１１ａ  ガルバノミラー
１２、１３、１４  レンズ
１６、１８、２０  レンズ
１９  回折格子
２１  分光計（ラインセンサアレイ）
２２  高速フーリエ変換器（ＦＦＴ）
２３  ＰＣ（パーソナルコンピュータ）
２５、１１２、１１６  メモリ
３０  レンズ
３３  被検眼
１１１  画像入力部
１１４  ＣＰＵ
１１５  モニタ
１１８  視野ドーム
１３０  眼底画像
１３３  被検眼
【図１】
0005563087.tif 000002
【図２】
0005563087.tif 000003
【図３】
0005563087.tif 000004
【図４】
0005563087.tif 000005
【図５】
0005563087.tif 000006
【図６】
0005563087.tif 000007